(57)【要約】【課題】コンパクトかつ簡単な構造で確実に接地を行う。【解決手段】正面側キャビネットの金属プレートの正面側に表示ユニットを収容し、表示ユニットから延びるフレキシブル基板９を金属プレートの背面側に折り返し、このフレキシブル基板９の背面を基板ホルダ１０の板金部１１に当接させ、基板ホルダ１０の背面側にメイン基板７を支持する。板金部１１に板金部１１と金属プレートとを接地する板バネ１５を形成すると共に、板金部１１とメイン基板７とを接地する導電性ガスケットを設ける。【選択図】図１
2014036336.tif 000002
【特許請求の範囲】
【請求項１】
金属プレートを有すると共に、該金属プレートの正面側に表示ユニットが収容された表示部筐体と、
上記表示ユニットから延びて上記金属プレートの背面側に折り返されるフレキシブル基板と、
上記フレキシブル基板の背面が当接する板金部を有すると共に、背面側にメイン基板を支持する基板ホルダと、
上記板金部に形成され、該板金部と上記金属プレートとを接地する第１接地部材と、
上記板金部と上記メイン基板とを接地する第２接地部材とを有する
ことを特徴とする携帯端末。
【請求項２】
請求項１に記載の携帯端末において、
上記基板ホルダは、上記メイン基板が嵌め込まれる樹脂部を有し、上記板金部は、該樹脂部にインサート成形され、正面側の上記板金部が露出した部分に上記フレキシブル基板が収容されている
ことを特徴とする携帯端末。
【請求項３】
請求項２に記載の携帯端末において、
上記基板ホルダ背面と上記メイン基板正面との間には、熱拡散シートが狭持され、上記第２接地部材は、上記熱拡散シートを避けるように配置されている
ことを特徴とする携帯端末。
【請求項４】
請求項３に記載の携帯端末において、
上記第１接地部材は、上記板金部から切り起こされた板バネであり、
上記第２接地部材は、上記板金部に貼り付けられた導電性ガスケットである
ことを特徴とする携帯端末。
【請求項５】
請求項４に記載の携帯端末において、
上記メイン基板正面の電子部品は、基板側板金で覆われ、該基板側板金に上記導電性ガスケットが接地している
ことを特徴とする携帯端末。
【発明の詳細な説明】
【技術分野】
【０００１】
本発明は、表示部を有する携帯端末に関し、特にその接地構造に関する。
【背景技術】
【０００２】
携帯端末は、限られた空間に表示ユニット、メイン基板、充電池等を収容しなければならず、金属部品は適宜接地しないと雑音等の悪影響が生じる。
【０００３】
そこで、例えば特許文献１では、複数の導電性ガスケットを用いて接地するようにしている。
【先行技術文献】
【特許文献】
【０００４】
【特許文献１】特開２００９−２３９６７０号公報
【発明の概要】
【発明が解決しようとする課題】
【０００５】
しかしながら、上記特許文献１の発明では、広範囲に多くのガスケットを設けなければならず、組立が面倒となっている。
【０００６】
また、近年、スマートフォンに代表される携帯端末の構造は、１つの筐体の正面側に液晶ディスプレイが配置され、その裏面側を板金で覆い、その背面側にメイン基板等が配置されている。この場合、液晶ディスプレイより延びるフレキシブル基板は、板金の正面側に配置されるので、折り曲げたフレキシブル基板の反発力により液晶にストレスが掛かって変色するのを防止するために、板金を背面側へ凹陥させて回避する必要がある。このため、限られたスペースでフレキシブル基板を避けながら接地をする必要が出てきた。
【０００７】
本発明は、かかる点に鑑みてなされたものであり、その目的とするところは、コンパクトかつ簡単な構造で確実に接地を行うようにすることにある。
【課題を解決するための手段】
【０００８】
上記の目的を達成するために、この発明では、メイン基板を支持する基板ホルダに金属プレートへ導通させる接地部材を設けた。
【０００９】
具体的には、第１の発明では、
金属プレートを有すると共に、該金属プレートの正面側に表示ユニットが収容された表示部筐体と、
上記表示ユニットから延びて上記金属プレートの背面側に折り返されるフレキシブル基板と、
上記フレキシブル基板の背面が当接する板金部を有すると共に、背面側にメイン基板を支持する基板ホルダと、
上記板金部に形成され、該板金部と上記金属プレートとを接地する第１接地部材と、
上記板金部と上記メイン基板とを接地する第２接地部材とを有する。
【００１０】
上記の構成によると、表示ユニットの変色を避けるために金属プレートの背面に折り返されたフレキシブル基板の背面側に基板ホルダを配置し、その基板ホルダの板金部にメイン基板と金属プレートとを導通させる第１接地部材と第２接地部材とを設けたので、限られたスペースで効率よく導通が行える。
【００１１】
第２の発明では、第１の発明において、
上記基板ホルダは、上記メイン基板が嵌め込まれる樹脂部を有し、上記板金部は、該樹脂部にインサート成形され、正面側の上記板金部が露出した部分に上記フレキシブル基板が収容されている。
【００１２】
上記の構成によると、基板ホルダの樹脂部分でメイン基板を支持する係止爪等の複雑な形状を成形し、薄い板金部でフレキシブル基板を収容することにより、全体の厚さを抑えながら効率よく導通が行える。
【００１３】
第３の発明では、第２の発明において、
上記基板ホルダ背面と上記メイン基板正面との間には、熱拡散シートが狭持され、上記第２接地部材は、上記熱拡散シートを避けるように配置されている。
【００１４】
上記の構成によると、メイン基板で発生した熱を熱拡散シートで広範囲に拡散させて熱が一部に溜まらないようにすることができると共に、基板ホルダの狭い領域に第２接地部材と熱拡散シートとを配置できるので携帯端末の大きさが大きくならない。
【００１５】
第４の発明では、第３の発明において、
上記第１接地部材は、上記板金部から切り起こされた板バネであり、
上記第２接地部材は、上記板金部に貼り付けられた導電性ガスケットである。
【００１６】
上記の構成によると、板バネであれば、板金部のプレス成形時に形成できるので、取付が不要であり、また、バネ性を有するので効率よく導電が行える。また、導電性ガスケットであれば、広い範囲でメイン基板に密着が可能である。
【００１７】
第５の発明では、第４の発明において、
上記メイン基板正面の電子部品は、基板側板金で覆われ、該基板側板金に上記導電性ガスケットが接地している。
【００１８】
上記の構成によると、基板側板金で電子部品を覆い、その基板側板金を導電性ガスケットで接地しているので、広い範囲で効率よく接地が行える。
【発明の効果】
【００１９】
以上説明したように、本発明によれば、金属プレートの正面に収容された表示ユニットから延びるフレキシブル基板が金属プレートの背面側に折り返され、その背面に基板ホルダを配置して、その板金部に設けた第１及び第２接地部材によりメイン基板と金属プレートとを接地するようにしたことにより、コンパクトかつ簡単な構造で確実に接地を行うことができる。
【図面の簡単な説明】
【００２０】
【図１】本発明の実施形態に係る基板ホルダ、熱拡散シート及びその周辺を示す正面図である。
【図２】携帯電話機を示す正面図である。
【図３】携帯電話機を正面側から見た分解斜視図である。
【図４】携帯電話機を背面側から見た分解斜視図である。
【図５】正面側キャビネット及びフレキシブル基板を背面側から見た斜視図である。
【図６】基板ホルダを示し、（ａ）が正面側から見た斜視図で、（ｂ）が背面側から見た斜視図である。
【図７】メイン基板を示し、（ａ）が正面側から見た斜視図で、（ｂ）が背面側から見た斜視図である。
【図８】熱拡散シートを示し、（ａ）が正面側から見た斜視図で、（ｂ）が背面側から見た斜視図である。
【発明を実施するための形態】
【００２１】
以下、本発明の実施形態を図面に基づいて説明する。
【００２２】
図２〜図４は本発明の実施形態の携帯端末としての携帯電話機１を示し、この携帯電話機１は、表示ユニット２を収容する表示部筐体としての正面側キャビネット３を有する。この正面側キャビネット３の背面が背面側キャビネット４で覆われ、その背面がリアカバー５で覆われている。正面側キャビネット３と背面側キャビネット４及びリアカバー５との間には、充電池６とメイン基板７とが収容されている。
【００２３】
正面側キャビネット３は、図５にも示すように、中央にステンレス板金、アルミニウム成型品、マグネシウム成型品等よりなる金属プレート８がインサート成形されている。
【００２４】
金属プレート８の正面側の樹脂枠で形成された表示ユニット収容部３ａ（図２にのみ示す）に表示ユニット２が収容されている。表示ユニット２の上端から延びるフレキシブル基板９は、金属プレート８背面上側に折り返されている。なお、このフレキシブル基板９を左右端部のいずれかから折り返してもよい。
【００２５】
この折り返されたフレキシブル基板９は、基板ホルダ１０に収容されている。具体的には、図６（ａ）に示すように、基板ホルダ１０は、矩形状の板金部１１と、この板金部１１を覆う樹脂部１２とを有するインサート成形品よりなる。基板ホルダ１０の正面側における、板金部１１が樹脂部１２から露出して低くなったフレキ収容部１４にフレキシブル基板９が収容されている（図１参照）。このため、携帯電話機１において全体の厚さが抑えられている。そして、図６（ｂ）に示すように、背面側の樹脂部１２には、メイン基板７を係止させるための複数の係止爪１２ａが形成されている。このように、係止爪１２ａなどの複雑な形状は、樹脂部１２において一体形成し、板金部１１は薄く形成することで、全体の厚さを抑えながら、複雑な形状も成形可能となっている。また、金属製の板金部１１において、放熱及び接地機能を発揮するようになっている。
【００２６】
そして、板金部１１には、第１接地部材としての板バネ１５が形成されている。板バネ１５は、板金部１１の一部を切り起こしたものよりなり、その高さは、樹脂部１２の厚さよりも高く、図６（ａ）に示すように、樹脂部１２の領域に形成された２つの板バネ１５は、樹脂部１２の開口部１２ｂから露出して金属プレート８に接触するように構成されている。板バネであれば、板金部１１のプレス成形時に形成できるので、取付が不要であり、また、バネ性を有するので効率よく導電が行える。
【００２７】
一方、図６（ｂ）に示すように、板金部１１の背面上側の左右両側には、第２接地部材としての導電性ガスケット１６が貼り付けられている。例えば、導電性ガスケット１６は、銅箔、アルミ箔等で発泡層の周りを覆ったものよりなる。このような導電性のガスケットであれば、板金部１１の強度を落とすことなく、広い範囲でメイン基板７に密着が可能である。なお、この導電性ガスケット１６の部分も背面側へ切り起こされた大きめの板バネで構成してもよい。
【００２８】
図７に示すように、メイン基板７は、発熱体としてのＣＰＵなどの電子部品を多数有し、正面側は、例えば０．１ｍｍのステンレス鋼板をプレス成形した基板側板金１７で覆われている。図示しないが、基板側板金１７は、メイン基板７に設けた金属製の枠に嵌め込まれている。この基板側板金１７と板金部１１の間には、図１及び図８に示すように熱拡散シート１８の上部１８ａが挟み込まれている。熱拡散シート１８は、例えば熱拡散性の高いグラファイトを有し、背面側が補強等のためにＰＥＴなどのシート１８ｃで覆われている。
【００２９】
一方、熱拡散シート１８の下部１８ｂは、図１に示すように、基板ホルダ１０から露出し、金属プレート８に接着されている。図８に示すように、上部１８ａの左右上端部には、切欠部１８ｄが設けられ、導電性ガスケット１６を避けるように構成されている。上部１８ａは、基板ホルダ１０と基板側板金１７とで挟み込まれるだけで接着は行われず、基板ホルダ１０背面側は、薄いクッション部材１９で覆われている。そして、板バネ１５の反発力により、熱拡散シート１８を挟み込んだときにクッション部材１９が変形して熱拡散シート１８がメイン基板７に密着するので、熱拡散効果が向上している。
【００３０】
そして、上部１８ａが基板側板金１７に接触することで、基板側板金１７内の熱が拡散されるようになっている。また、導電性ガスケット１６が基板側板金１７に当接することで、メイン基板７が板金部１１に接地され、結果として板バネ１５を介して金属プレート８に接地されている。
【００３１】
このように、表示ユニット２のフレキシブル基板９を金属プレート８の背面側に延ばしているので、正面側の表示ユニット２にフレキシブル基板９の反発力が掛からず、表示ユニット２の画面が変色しない。
【００３２】
また、金属プレート８の背面だけでなく、フレキシブル基板９の背面も連続して１枚の熱拡散シート１８で覆うことができるので、部品点数が減って貼り付けも容易となる。さらに広い範囲を熱拡散シート１８で覆うことができるので、熱拡散効率がよくなり、携帯電話機１内の一部に熱が溜まってユーザに不快感を与えることはない。
【００３３】
また、メイン基板７を支持する基板ホルダ１０によって安定してフレキシブル基板９を収容することができると共に、熱拡散シート１８を挟み込んで発熱体を有するメイン基板７の熱を熱拡散シート１８により効果的に拡散させることができる。
【００３４】
また、熱拡散シート１８の基板ホルダ１０で挟み込まれる部分を接着せず、基板ホルダ１０とメイン基板７とで挟み込むことにより、修理交換、リサイクル等が容易となる。
【００３５】
さらに発熱体を基板側板金１７で覆うことで、発熱体から発生した熱が基板側板金１７に効果的に伝わると共に、熱拡散シート１８が基板側板金１７に密着するので、発熱体の熱が熱拡散シート１８の全体に広がって広範囲に拡散される。また、基板側板金１７を導電性ガスケット１６で接地しているので、広い範囲で接地が行える。
【００３６】
また、表示ユニット２の画面の変色を避けるために金属プレート８の背面に折り返されたフレキシブル基板９の正面側に基板ホルダ１０を配置し、その基板ホルダ１０の板金部１１にメイン基板７と金属プレート８とを導通させる板バネ１５と導電性ガスケット１６とを設けたので、限られたスペースで効率よく導通が行え、基板ホルダ１０の狭い領域に導電性ガスケット１６と熱拡散シート１８とを配置できるので携帯電話機１の大きさが大きくならない。さらに、板バネ１５の反発力により、熱拡散シート１８の密着性が向上し、熱拡散と接地とが効率よく行われる。
【００３７】
以上説明したように、本発明によれば、画面の変色を起こすことなく、携帯電話機１内で効率よく熱の拡散を行うことができる。また、コンパクトかつ簡単な構造で確実に接地を行うことができる。
【００３８】
（その他の実施形態）
本発明は、上記実施形態について、以下のような構成としてもよい。
【００３９】
すなわち、上記実施形態では、携帯電話機１は、１つの筐体を有する形状としているが、これに限定されず、複数の筐体を折り畳む構造でもよい。この場合、表示ユニットを有する筐体側で本発明の適用が可能である。
【００４０】
上記実施形態では、携帯端末は、携帯電話機としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００４１】
なお、以上の実施形態は、本質的に好ましい例示であって、本発明、その適用物や用途の範囲を制限することを意図するものではない。
【産業上の利用可能性】
【００４２】
以上説明したように、本発明は、表示部を有する携帯電話機などの携帯端末について有用である。
【符号の説明】
【００４３】
１      携帯電話機（携帯端末）
２      表示ユニット
３      正面側キャビネット（表示部筐体）
３ａ    表示ユニット収容部
４      背面側キャビネット
５      リアカバー
６      充電池
７      メイン基板
８      金属プレート
９      フレキシブル基板
１０      基板ホルダ
１１      板金部
１２      樹脂部
１２ａ    係止爪
１２ｂ    開口部
１４      フレキ収容部
１５      板バネ（第１接地部材）
１６      導電性ガスケット（第２接地部材）
１７      基板側板金
１８      熱拡散シート
１８ａ    上部
１８ｂ    下部
１８ｃ    シート
１８ｄ    切欠部
１９      クッション部材
【図１】
2014036336.tif 000003
【図２】
2014036336.tif 000004
【図３】
2014036336.tif 000005
【図４】
2014036336.tif 000006
【図５】
2014036336.tif 000007
【図６】
2014036336.tif 000008
【図７】
2014036336.tif 000009
【図８】
2014036336.tif 000010